(57)【要約】【課題】給湯装置制御系統２にエラーが発生すると、風呂リモコン３や台所リモコン２２にエラーの発生が表示されるが、家人が台所や浴室１１にいない場合にはエラーの発生を気づくことができない。【解決手段】給湯装置制御系統２にエラーが発生すると、風呂リモコン３から浴室リモコン５を介してインターホン親機４１に送信し、インターホン親機４１や室内子機４３，４４にエラーの発生を表示させることにより家人に確実にエラーの発生を報知できるようにした。【選択図】  図１
2004332990.tif 000002
【特許請求の範囲】
【請求項１】
浴室外に設置されたインターホン親機と通信可能な浴室子機を備えると共に、給湯装置の作動状況を監視する機能を備えた風呂リモコンと浴室子機との間で相互に通信可能なインターホンシステムにおいて、給湯装置側にエラーが発生した場合に、エラー信号を浴室子機に送信し、少なくともインターホン親機によってエラーの発生を報知するようにしたことを特徴とするインターホンシステム。
【請求項２】
インターホン親機は通信回線を介して外部の監視装置との間で通信可能であり、上記エラーの発生をこの監視装置に送信するようにしたことを特徴とする請求項１記載のインターホンシステム。
【請求項３】
上記監視装置が給湯装置の作動状況を診断する際の中継を行うことを特徴とする請求項２に記載のインターホンシステム。
【発明の詳細な説明】
【０００１】
【発明の属する技術分野】
本発明は、給湯装置側のリモコンと相互通信を行うことのできるインターホンシステムに関する。
【０００２】
【従来の技術】
従来のインターホンシステムは一般に給湯装置の制御系統とはまったく連結されず、給湯装置の制御系統から独立している。一方、台所で調理中に来訪者が玄関子機を操作した場合に、インターホンの室内子機設置位置まで移動することなく応対出来るように、給湯装置の台所リモコンにインターホンの子機としての機能を付加させたものが知られている（例えば、特許文献１参照）。
【０００３】
【特許文献１】
特開２０００−２９２００１号公報（図１）
【０００４】
【発明が解決しようとする課題】
上記特許文献１に記載されたものでは、例えば給湯装置により自動湯張りを行う際に浴槽の栓が閉め忘れられていると、一定時間が経過しても水位が上昇しないので給湯装置はエラーが発生したものと判断して、その旨を台所リモコンから報知する。ところが、台所以外の他の部屋に家人が移動していると、家人はこのエラーの発生を知ることができない。
【０００５】
なお、上記特許文献１に記載されたインターホンは、玄関子機と室内の子機との２台の子機のみからなるインターホンシステムであるが、室内にインターホン親機を設置し、室内の複数個所に室内子機を設置すると共に、玄関子機およびこれら複数の室内子機をインターホン親機に接続するインターホンシステムが知られている。
【０００６】
ところが、上記特許文献１に記載されたものは、台所リモコンに室内子機の機能を単に付加したものであり、その室内子機に接続されているのは玄関子機のみであるから、給湯装置の制御系統のエラー発生等の情報をインターホンの系統に送信しても、玄関子機からエラー発生等の情報が報知されてしまうことになり、実際にはそのような構成を採用することができない。
【０００７】
そこで本発明は、上記の問題点に鑑み、上述のような不具合の生じない風呂リモコンを提供することを課題とする。
【０００８】
【課題を解決するための手段】
上記課題を解決するために本発明によるインターホンシステムは、浴室外に設置されたインターホン親機と通信可能な浴室子機を備えると共に、給湯装置の作動状況を監視する機能を備えた風呂リモコンと浴室子機との間で相互に通信可能なインターホンシステムにおいて、給湯装置側にエラーが発生した場合に、エラー信号を浴室子機に送信し、少なくともインターホン親機によってエラーの発生を報知するようにしたことを特徴とする。
【０００９】
上記構成によれば、給湯装置側でエラーが生じた場合、給湯装置に接続されている各リモコンの他に、少なくともインターホン親機によってエラーの発生が報知され、家人がリモコンの設置場所から移動していてもエラーの発生を知ることのできる機会が増加する。
【００１０】
また、インターホン親機は通信回線を介して外部の監視装置との間で通信可能であり、上記エラーの発生をこの監視装置に送信するように構成すれば、エラーの発生を監視装置が検出し、この監視装置からメンテナンス会社等に迅速かつ適切な指示を出すことができる。
【００１１】
また、上記監視装置が給湯装置の作動状況を診断する際の中継を行えば、エラーの発生を未然に検知し、エラー発生前に適切な処理を行うことができる。
【００１２】
【発明の実施の形態】
図１を参照して、１は戸建ての家屋である。この家屋１には給湯装置２１を中心に構成された給湯装置制御系統２と、インターホン親機４１を中心に構成されたインターホン系統４とが設置されている。
【００１３】
家屋１には浴室１１、台所兼居間１２、個室１３が設けられている。浴室１１には本発明による風呂リモコン３が設置されており、この風呂リモコン３は通信線３１を介して給湯装置２１に接続されている。また、給湯装置２１には台所兼居間１２に設置された台所リモコン２２が接続されている。
【００１４】
一方、インターホン親機４１にはテレビカメラを備えた玄関子機４２が接続されている。また、個室１３に設置された子機４３，４４がインターホン親機４１に接続されている。このインターホン親機４１にはさらに浴室子機５が通信線５１を介して接続されている。
【００１５】
なお、図１では戸建ての家屋に給湯装置制御系統２とインターホン系統４とを設けた実施の形態を示したが、マンション等の集合住宅に設置してもよい。なお、その際には、玄関子機４２はマンションの玄関部分に設置される。
【００１６】
ところで、浴室１１の天井部分には人体センサ７が取り付けられている。この人体センサ７は浴室１１内を撮像し人体の位置を解析するものである。そして、人体の位置が所定時間以上動かないと判断すると、人体センサ７から浴室１１内に、移動を促すメッセージが発音される。そして、この発音がされても人体が動かない場合には、緊急信号が給湯装置２１に発信され、風呂リモコン３および台所リモコン２２から、緊急メッセージが発音される。
【００１７】
また、この緊急信号は風呂リモコン３から浴室子機５を介してインターホン親機４１に送信される。すると、このインターホン親機４１は家屋１内の他の子機４３，４４に信号を送信し、これら子機４３，４４から緊急メッセージを発音させるように構成されている。
【００１８】
インターホン親機４１には電話線８が接続されており、インターネット通信網８１を介して外部の監視装置８２との間で相互に通信が可能な状態に構成されている。
【００１９】
図２を参照して、風呂リモコン３には液晶モニタ３２が取り付けられている。また、この風呂リモコン３内には上記給湯装置２１の作動を制御するためのリモコン部が内蔵されている。さらに、液晶モニタ３２にテレビ画像を表示させるためのテレビ部が内蔵されている。
【００２０】
テレビ部を作動させるための電源スイッチ３３が設けられており、この電源スイッチ３３を押すと液晶モニタ３２のバックライトが点灯し、さらにテレビ部から出力されるテレビ画像が液晶モニタ３２に映し出される。
【００２１】
一方、リモコン部を作動させるための電源スイッチ３４が設けられており、この電源スイッチ３４を押すとリモコン部の作動が開始される。ところで、上記台所リモコン２２にも電源スイッチ２２ａ（図１参照）が設けられており、電源スイッチ３４および電源スイッチ２２ａのいずれを押しても、風呂リモコン３のリモコン部と台所リモコン２２との双方の電源が入り、リモコンとしての作動が開始される。
【００２２】
電源スイッチ３４の下方には自動ボタン３４ａとおいだきボタン３４ｂとが配置されている。例えば浴槽が空の状態で自動ボタン３４ａを押すと、給湯装置２１は浴槽内の水位が所定の水位になるまで温水を浴槽に供給する。その際、浴槽内の水位は給湯管（図示せず）に設置した水位センサで監視する。また給湯温度は予め設定されている。３５は左右１対のスピーカであり、３６はこの給湯温度やその他各種設定用の十字キーである。
【００２３】
浴室子機５が外部から呼ばれると、ブザー音がスピーカ５４から発音される。すると、通話スイッチ５２を押しながらしゃべった内容がマイク５３で電気信号に変換され、他の子機もしくは親機４１に送信される。なお、５６は呼出スイッチであり、浴室子機５から例えばインターホン親機４１や子機４３，４４を呼び出す際に押すと相手側に呼び出し音が発音される。
【００２４】
ところで、風呂リモコン３と浴室子機５とは、３本のラインで接続されている。６１は玄関子機４２のカメラで撮像された画像を浴室子機５から風呂リモコン３へ送信するためのラインである。また、６２は給湯装置２１の作動状態を示す音声信号を風呂リモコン３側から浴室子機５へと送信するためのラインである。そして、６３は相互に制御信号を送受信するためのラインである。
【００２５】
５５はモニタスイッチであり、このモニタスイッチ５５を押すと玄関子機４２で撮像された画像が風呂リモコン３に出力されると共にその画像を液晶モニタ３２に表示させる制御信号が風呂リモコン３に送信され、玄関の画像が液晶モニタ３２に映し出される。なお、５７は玄関のロックを開錠および施錠するための施開錠スイッチである。
【００２６】
図２では風呂リモコン３と浴室子機５とを上下に離間して示したが、実際には両者の間に隙間を設けないように設置することによりデザイン上の一体感を出してもよく、あるいは風呂リモコン３と浴室子機５とを一体に作成してもよい。
【００２７】
ところで、上記自動ボタン３４ａは少なくともインターホン親機４１にも設けられている。このインターホン親機４の自動ボタンもしくは上記自動ボタン３４ａが押されると上述のように給湯装置２１は湯張りを開始するが、例えば浴槽の栓が閉められていないと、所定時間経過しても水位が上昇しない。給湯装置２１はこのように所定時間経過しても水位が所定位置まで上昇しないことを検知すると、エラーが発生したものと判断する。
【００２８】
図３を参照して、エラーが発生すると（Ｓ１）、風呂リモコン３にエラー表示をさせ（Ｓ２）、さらにライン６３を介してエラー信号を浴室子機５に送信する（Ｓ３）。このエラー信号を受信した浴室子機５はそのエラー信号をインターホン親機４１に送信する（Ｓ４）。インターホン親機４１はエラーの内容を基に、そのエラーの内容を表示し家人に報知するか否かを判断する（Ｓ５）。
【００２９】
表示すると判断した場合にはインターホン親機４１にそのエラーの発生を表示すると共に、他の室内子機４３，４４にエラー信号を転送して各室内子機４３，４４にエラー発生を表示させる（Ｓ６）。
【００３０】
次に、そのエラーの発生を外部の監視装置８２に通知すべきか否かを判断し（Ｓ７）、通知すべきであると判断した場合には、上述のようにインターネット通信網８１を介してエラーの内容を監視装置８２に通知する（Ｓ８）。
【００３１】
また、監視装置８２は定期的にインターホン系統４を介して給湯装置２１にアクセスし、給湯装置２１にエラーもしくはその兆候が発生していないかを診断するように構成されている。
【００３２】
【発明の効果】
以上の説明から明らかなように、本発明は、給湯装置側にエラーが発生した場合に、インターホン側でそのエラーの発生を報知させるので、給湯装置側のリモコンのみでエラーの発生を報知させていた従来のものより、エラーの発生を検知する機会が増加する。
【図面の簡単な説明】
【図１】本発明の一実施の形態の構成を示す図
【図２】風呂リモコンと浴室子機との関係を示す図
【図３】エラー発生時の処理を示すブロック図
【符号の説明】
１  家屋
２  給湯装置制御系統
３  風呂リモコン
４  インターホン系統
５  浴室子機
７  人体センサ
８  電話線
１１  浴室
１２  台所兼居間
２１  給湯装置
２２  台所リモコン
４１  インターホン親機
４２  玄関子機
８１  インターネット通信網
８２  監視装置
【図１】
2004332990.tif 000003
【図２】
2004332990.tif 000004
【図３】
2004332990.tif 000005